(57)【要約】【課題】２つの装置間で、短時間で効率よく通信路を確立することができる無線基地局を提供する。【解決手段】無線制御装置１０１は、複数のラインビットレートの情報を記憶する対応レート記憶部１０７と、任意の無線装置２０１のラインビットレートの情報を取得する通信部１０３と、通信部１０３によって取得された任意の無線装置２０１が有するラインビットレートの情報を記憶するスレーブポート情報記憶部１０８と、スレーブポート情報記憶部１０８に記憶されたラインビットレートの情報に係る無線装置２０１との間に通信路を確立する場合に、対応レート記憶部１０７及びスレーブポート情報記憶部１０８の中から共通する最大のラインビットレートの情報を読み出す記憶制御部１０５と、記憶制御部１０５によって読み出された共通する最大のラインビットレートを通信部１０３に設定する通信制御部１０６と、を備える。【選択図】図１
2012209859.tif 000002
【特許請求の範囲】
【請求項１】
複数の通信速度に関する情報を記憶する第１の記憶部と、
前記第１の記憶部に記憶された前記複数の通信速度のうち、設定された１つの通信速度に基づいて任意の他機器との間に通信路を確立すると共に、当該確立された通信路を介して前記任意の他機器の通信機能が有する少なくとも１つの通信速度の情報を取得する通信部と、
前記通信部によって取得された前記任意の他機器が有する通信速度の情報を記憶する第２の記憶部と、
前記第２の記憶部に記憶された通信速度の情報に係る他機器との間に通信路を確立する場合に、前記第１の記憶部及び前記第２の記憶部にそれぞれ記憶されている情報の中から共通する最大の通信速度の情報を読み出す記憶制御部と、
前記記憶制御部によって読み出された前記共通する最大の通信速度を前記通信部に設定する通信制御部と、を備える、
ことを特徴とする情報処理装置。
【請求項２】
ベースバンド信号を処理する無線制御装置及び当該無線制御装置と通信を行う少なくとも１つの無線装置を備え、前記無線制御装置は、
複数の通信速度に関する情報を記憶する第１の記憶部と、
前記第１の記憶部に記憶された前記複数の通信速度のうち、設定された１つの通信速度に基づいて任意の無線装置との間に通信路を確立すると共に、当該確立された通信路を介して前記任意の無線装置の通信機能が有する少なくとも１つの通信速度の情報を取得する通信部と、
前記通信部によって取得された前記任意の無線装置が有する通信速度の情報を記憶する第２の記憶部と、
前記第２の記憶部に記憶された通信速度の情報に係る無線装置との間に通信路を確立する場合に、前記第１の記憶部及び前記第２の記憶部にそれぞれ記憶されている情報の中から共通する最大の通信速度の情報を読み出す記憶制御部と、
前記記憶制御部によって読み出された前記共通する最大の通信速度を前記通信部に設定する通信制御部と、を備える、
ことを特徴とする無線基地局。
【請求項３】
前記第２の記憶部は、前記通信部が無線装置との間に通信路を確立するごとに、当該無線装置との通信に関する履歴情報を更新して記憶し、
前記記憶制御部は、前記通信部が任意の無線装置との間に通信路を確立する場合に、前記第２の記憶部に記憶されている当該任意の無線装置の履歴情報及び前記第１の記憶部に記憶されている情報の中から共通する最大の通信速度の情報を読み出す、
ことを特徴とする請求項２に記載の無線基地局。
【請求項４】
前記通信制御部は、無線装置との間でＣＰＲＩ規格におけるインタフェース及びベンダ固有の交渉を行う中で、前記記憶制御部によって読み出された前記共通する最大の通信速度を前記通信部に設定する、
ことを特徴とする請求項２又は３に記載の無線基地局。
【請求項５】
前記通信制御部は、無線装置との間でＣＰＲＩ規格におけるインタフェース及びベンダ固有の交渉を行う前に、前記記憶制御部によって読み出された前記共通する最大の通信速度を前記通信部に設定する、
ことを特徴とする請求項２又は３に記載の無線基地局。
【請求項６】
少なくとも１つの無線装置と通信を行うと共に、ベースバンド信号を処理する無線制御装置において、
第１の記憶部が、複数の通信速度に関する情報を記憶し、
通信部が、前記第１の記憶部に記憶された前記複数の通信速度のうち、設定された１つの通信速度に基づいて任意の無線装置との間に通信路を確立すると共に、当該確立された通信路を介して前記任意の無線装置の通信機能が有する少なくとも１つの通信速度の情報を取得し、
第２の記憶部が、前記通信部によって取得された前記任意の無線装置が有する通信速度の情報を記憶し、
前記通信部により前記第２の記憶部に記憶された通信速度の情報に係る無線装置との間に通信路を確立する場合に、記憶制御部が、前記第１の記憶部及び前記第２の記憶部にそれぞれ記憶されている情報の中から共通する最大の通信速度の情報を読み出し、
通信制御部が、前記記憶制御部によって読み出された前記共通する最大の通信速度を前記通信部に設定する、
ことを特徴とする通信制御方法。
【請求項７】
前記第２の記憶部が、前記通信部が任意の無線装置との間に通信路を確立するごとに、当該任意の無線装置との通信に関する履歴情報を更新して記憶し、
前記通信部により任意の無線装置との間に通信路を確立する場合に、前記記憶制御部が、前記第２の記憶部に記憶されている当該任意の無線装置の履歴情報及び前記第１の記憶部に記憶されている情報の中から共通する最大の通信速度の情報を読み出す、
ことを特徴とする請求項６に記載の通信制御方法。
【請求項８】
前記通信制御部が、無線装置との間でＣＰＲＩ規格におけるインタフェース及びベンダ固有の交渉を行う中で、前記記憶制御部によって読み出された前記共通する最大の通信速度を前記通信部に設定する、
ことを特徴とする請求項６又は７に記載の通信制御方法。
【請求項９】
前記通信制御部が、無線装置との間でＣＰＲＩ規格におけるインタフェース及びベンダ固有の交渉を行う前に、前記記憶制御部によって読み出された前記共通する最大の通信速度を前記通信部に設定する、
ことを特徴とする請求項６又は７に記載の通信制御方法。
【請求項１０】
ベースバンド信号を処理する無線制御装置及び当該無線制御装置と通信を行う少なくとも１つの無線装置において、前記無線制御装置が有するコンピュータに、
複数の通信速度に関する情報を第１の記憶部に記憶する第１のステップと、
前記第１の記憶部に記憶された前記複数の通信速度のうち、設定された１つの通信速度に基づいて任意の無線装置との間に通信路を確立すると共に、当該確立された通信路を介して前記任意の無線装置の通信機能が有する少なくとも１つの通信速度の情報を取得する第２のステップと、
前記第２のステップによって取得された前記任意の無線装置が有する通信速度の情報を第２の記憶部に記憶する第３のステップと、
前記第２の記憶部に記憶された通信速度の情報に係る無線装置との間に通信路を確立する場合に、前記第１の記憶部及び前記第２の記憶部にそれぞれ記憶されている情報の中から共通する最大の通信速度の情報を読み出す第４のステップと、
前記第４のステップによって読み出された前記共通する最大の通信速度を前記第２のステップに対して設定する第５のステップと、を実行させる、
ことを特徴とするプログラム。
【発明の詳細な説明】
【技術分野】
【０００１】
本発明は、情報処理装置、無線基地局、通信制御方法及びプログラムに関する。より詳しくは、分離された無線制御装置と無線装置との間で通信速度を整合する情報処理装置、無線基地局、通信制御方法及びプログラムに関する。
【背景技術】
【０００２】
近年、光ファイバケーブル等の通信設備の発達により、無線基地局を構成する無線制御装置（ＲＥＣ：Radio Equipment Controller）と無線装置（ＲＥ：Radio Equipment）とを分離した無線基地局が普及している。光ファイバケーブルによって無線制御装置と無線装置との間で通信路を確立するための接続インタフェースとして、ＣＰＲＩ（Common Public Radio Interface）規格の通信プロトコルが知られている（非特許文献１参照）。
【０００３】
無線制御装置と無線装置との間のインタフェースをオープンにすることにより、種々の利点が生まれる。例えば、無線基地局内の各部のマルチベンダ（マルチユーザ）化を図ることができる。また、無線装置をアンテナ直下に設置することが可能なため、無線装置とアンテナとを接続する給電線による電力損失が小さくなるので、無線装置の消費電力を低減できる。さらに、光ファイバケーブルによってＣＰＲＩ接続を構成することにより、無線制御装置から数１０ｋｍ離れたところに小型の無線装置を設置できるため、無線装置の設置環境の自由度が拡がる。この結果、電波が届かない不感地帯を解消することが可能になる。
【０００４】
下記の特許文献１には、ＣＰＲＩ規格の通信プロトコルによって上位系の無線制御装置と下位系の無線装置とを接続する際に、上位系向け及び下位系向けを特定することなく、マスタ動作及びスレーブ動作を自動的に切り替えるシステムが開示されている。
【０００５】
また、下記の特許文献２には、２つのスレーブポートを備えた無線装置が異なる無線制御装置に接続され、それぞれの伝送遅延時間に基づいて同期タイミングを補正するシステムが開示されている。
【０００６】
上記特許文献１及び特許文献２を含む従来の分離型の無線基地局に限らず、一般に、情報処理装置が他機器との間で通信路を確立するためには、お互いの通信速度の整合を取ることが必要である。
【０００７】
通信速度の整合を取るためには、通常、最初に最大速度の通信速度を設定する。そして、通信路の確立ができない場合には、一定時間ごとに一段低速の通信速度に変更する。
【０００８】
図１０及び図１１は、ＣＰＲＩ規格の通信プロトコルに準拠した無線制御装置と無線装置との間における、従来の一般的な通信路の確立を行う通信制御方法を示す図である。
【０００９】
図１０は、一般的な関連技術における無線制御装置及び無線装置の状態遷移図である。スタンバイ（フェーズＡ）から始まって、Ｌ１（レイヤ１）同期の設定（フェーズＢ）、プロトコルの設定（フェーズＣ）、Ｃ＆Ｍプレーン（Control & Management Plane）の設定（フェーズＤ）、インタフェース及びベンダ固有の交渉（フェーズＥ）、データの送受信の動作（フェーズＦ）へと状態が遷移する。
【００１０】
図１１は、図１０のフェーズＥにおける無線制御装置の動作を示すフローチャートである。無線制御装置の制御部は、まず、通信速度であるラインビットレートを最大（例えば、６１４４．０Ｍｂｐｓ）に設定する（ステップＳ９０１）。
【００１１】
次に、制御部は、設定した通信速度を維持するための一定時間を計測するタイマのスタートを行う（ステップＳ９０２）。なお、計測する一定時間は、無線制御装置と無線装置とでは異なる。通常、無線制御装置は、複数の無線装置との間で通信路を確立する必要があるので、無線装置よりも短い時間にタイマを設定する。
【００１２】
次に、制御部は、設定したラインビットレートによって通信路が確立したか否かを判別する（ステップＳ９０３）。
【００１３】
通信路が確立できなかった場合には（ステップＳ９０３；ＮＯ）、制御部は、タイマが満了したか否かを判別する（ステップＳ９０４）。
【００１４】
タイマが満了していない場合には（ステップＳ９０４；ＮＯ）、制御部は、ステップＳ９０３に移行して、通信路が確立したか否かを判別する。
【００１５】
設定したラインビットレートにおいて通信路が確立したときは（ステップＳ９０３；ＹＥＳ）、制御部は、フェーズＦへ遷移する。そして、データの送受信の動作を開始する。
【００１６】
一方、通信路が確立せず（ステップＳ９０３；ＮＯ）、タイマが満了したときは（ステップＳ９０４；ＹＥＳ）、制御部は、一段低速のラインビットレートに変更する（ステップＳ９０５）。
【００１７】
次に、制御部は、対応する一段低速のラインビットレートがあるか否かを判別する（ステップＳ９０６）。
【００１８】
対応するラインビットレートがある場合には（ステップＳ９０６；ＹＥＳ）、制御部は、ステップＳ９０２に移行して、タイマのスタートを行う。この後は、通信路が確立できず、かつ、一段低速に設定したラインビットレートがある限り、ステップＳ９０２からステップＳ９０６のループを繰り返す。
【００１９】
対応するラインビットレートがない場合（ステップＳ９０６；ＮＯ）、すなわち、最小のラインビットレートにおいて通信路が確立できなかった場合には、制御部は、フェーズＢへ遷移する。
【００２０】
この場合には、ラインビットレートを最大から最小に一段ずつ低速に変更しても、通信速度の整合を取れなかったことになる。このため、再構成をするためにフェーズＢへ遷移して、再びフェーズＢからフェーズＥまで各フェーズの処理を実行する。フェーズＥに遷移した後は、制御部は、再び図１１のフローチャートを実行する。
【先行技術文献】
【特許文献】
【００２１】
【特許文献１】特開２０１０−１６６５３１号公報
【特許文献２】特開２０１０−２０６７３７号公報
【非特許文献】
【００２２】
【非特許文献１】Common Public Radio Interface (CPRI) specification version 4.1 <http://www. cpri. info/jp/index.html>
【発明の概要】
【発明が解決しようとする課題】
【００２３】
しかしながら、上記特許文献１、２を含む従来の通信制御方法においては、通信速度を変更する一定時間が無線制御装置と無線装置とでは異なるため、通信速度の整合を取るタイミングが合わず、通信路を確立するまでに長い時間がかかってしまう。
【００２４】
図１２は、無線制御装置（ＲＥＣ）及び無線装置（ＲＥ）のラインビットレートを変更するタイミングの一例を示す図である。無線制御装置は、一定時間Ｔ（例えば、約１秒）ごとに、最大のラインビットレートの６１４４．０Ｍｂｐｓから最小のラインビットレートの６１４．４Ｍｂｐｓまで、一段ずつ低速に変更する。一方、無線装置は、４Ｔ（すなわち、約４秒）ごとに、最大のラインビットレートの１２２８．８Ｍｂｐｓと最小のラインビットレートの６１４．４Ｍｂｐｓとを交互に変更する。
【００２５】
この例の場合には、無線装置が、最大のラインビットレートの１２２８．８Ｍｂｐｓに設定したタイミングにおいて、無線制御装置は、同じラインビットレートの１２２８．８Ｍｂｐｓに設定できない。その結果、図１２に示すように、５Ｔ（すなわち、約５秒）の時間が経過した後に、最小のラインビットレートの６１４．４Ｍｂｐｓで通信路が確立される。すなわち、無線制御装置及び無線装置に共通する最大のラインビットレートの１２２８．８Ｍｂｐｓを使用することができない。この場合において、再構成のために図１０のフェーズＥからフェーズＢに遷移したとしても、図１２に示したタイミングでは、図１０のフェーズＥにおいて再び最小のラインビットレートの６１４．４Ｍｂｐｓで通信路が確立されることになる。
【００２６】
本発明は、上記事情に鑑みてなされたものであり、２つの装置間に共通する最大の通信速度を使用して、短時間で効率よく通信路を確立することができる情報処理装置、無線基地局、通信制御方法及びプログラムを提供することを目的とする。
【課題を解決するための手段】
【００２７】
本発明の第１の観点に係る情報処理装置は、
複数の通信速度に関する情報を記憶する第１の記憶部と、
前記第１の記憶部に記憶された前記複数の通信速度のうち、設定された１つの通信速度に基づいて任意の他機器との間に通信路を確立すると共に、当該確立された通信路を介して前記任意の他機器の通信機能が有する少なくとも１つの通信速度の情報を取得する通信部と、
前記通信部によって取得された前記任意の他機器が有する通信速度の情報を記憶する第２の記憶部と、
前記第２の記憶部に記憶された通信速度の情報に係る他機器との間に通信路を確立する場合に、前記第１の記憶部及び前記第２の記憶部にそれぞれ記憶されている情報の中から共通する最大の通信速度の情報を読み出す記憶制御部と、
前記記憶制御部によって読み出された前記共通する最大の通信速度を前記通信部に設定する通信制御部と、を備える、
ことを特徴とする。
【００２８】
本発明の第２の観点に係る無線基地局は、
ベースバンド信号を処理する無線制御装置及び当該無線制御装置と通信を行う少なくとも１つの無線装置を備え、前記無線制御装置は、
複数の通信速度に関する情報を記憶する第１の記憶部と、
前記第１の記憶部に記憶された前記複数の通信速度のうち、設定された１つの通信速度に基づいて任意の無線装置との間に通信路を確立すると共に、当該確立された通信路を介して前記任意の無線装置の通信機能が有する少なくとも１つの通信速度の情報を取得する通信部と、
前記通信部によって取得された前記任意の無線装置が有する通信速度の情報を記憶する第２の記憶部と、
前記第２の記憶部に記憶された通信速度の情報に係る無線装置との間に通信路を確立する場合に、前記第１の記憶部及び前記第２の記憶部にそれぞれ記憶されている情報の中から共通する最大の通信速度の情報を読み出す記憶制御部と、
前記記憶制御部によって読み出された前記共通する最大の通信速度を前記通信部に設定する通信制御部と、を備える、
ことを特徴とする。
【００２９】
本発明の第３に係る通信制御方法は、
少なくとも１つの無線装置と通信を行うと共に、ベースバンド信号を処理する無線制御装置において、
第１の記憶部が、複数の通信速度に関する情報を記憶し、
通信部が、前記第１の記憶部に記憶された前記複数の通信速度のうち、設定された１つの通信速度に基づいて任意の無線装置との間に通信路を確立すると共に、当該確立された通信路を介して前記任意の無線装置の通信機能が有する少なくとも１つの通信速度の情報を取得し、
第２の記憶部が、前記通信部によって取得された前記任意の無線装置が有する通信速度の情報を記憶し、
前記通信部により前記第２の記憶部に記憶された通信速度の情報に係る無線装置との間に通信路を確立する場合に、記憶制御部が、前記第１の記憶部及び前記第２の記憶部にそれぞれ記憶されている情報の中から共通する最大の通信速度の情報を読み出し、
通信制御部が、前記記憶制御部によって読み出された前記共通する最大の通信速度を前記通信部に設定する、
ことを特徴とする。
【００３０】
本発明によるプログラムは、
ベースバンド信号を処理する無線制御装置及び当該無線制御装置と通信を行う少なくとも１つの無線装置において、前記無線制御装置が有するコンピュータに、
複数の通信速度に関する情報を第１の記憶部に記憶する第１のステップと、
前記第１の記憶部に記憶された前記複数の通信速度のうち、設定された１つの通信速度に基づいて任意の無線装置との間に通信路を確立すると共に、当該確立された通信路を介して前記任意の無線装置の通信機能が有する少なくとも１つの通信速度の情報を取得する第２のステップと、
前記第２のステップによって取得された前記任意の無線装置が有する通信速度の情報を第２の記憶部に記憶する第３のステップと、
前記第２の記憶部に記憶された通信速度の情報に係る無線装置との間に通信路を確立する場合に、前記第１の記憶部及び前記第２の記憶部にそれぞれ記憶されている情報の中から共通する最大の通信速度の情報を読み出す第４のステップと、
前記第４のステップによって読み出された前記共通する最大の通信速度を前記第２のステップに対して設定する第５のステップと、を実行させる、
ことを特徴とする。
【発明の効果】
【００３１】
本発明によれば、データの送受信を行う２つの装置間に共通する最大の通信速度を使用して、短時間で効率よく通信路を確立することができる。
【図面の簡単な説明】
【００３２】
【図１】実施の形態１における無線基地局のシステムを示すブロック図である。
【図２】実施の形態１のＣＰＲＩ接続におけるサブチャネルの構成を示す図である。
【図３】ＲＥ−ＩＤとラインビットレートに関する情報との関係を例示的に示す図である。
【図４】図３の各無線装置におけるラインビットレートの具体例を示す図である。
【図５】実施の形態１の無線基地局における通信路確立に移行する状態遷移図である。
【図６】図５のフェーズＪにおける無線制御装置の動作を示すフローチャートである。
【図７】図５のフェーズＨにおける無線制御装置の動作を示すフローチャートである。
【図８】実施の形態２の無線基地局における通信路確立に移行する状態遷移図である。
【図９】実施の形態３における無線基地局の構成の様々なバリエーションを示す図である。
【図１０】一般的な関連技術における無線基地局の状態遷移図である。
【図１１】図１０のフェーズＥにおける無線制御装置の動作を示すフローチャートである。
【図１２】無線制御装置及び無線装置のラインビットレートを変更するタイミングを示す図である。
【発明を実施するための形態】
【００３３】
以下、本発明の無線基地局及びその通信制御方法の実施の形態について、図１乃至図９を参照しながら説明する。なお、図中同一又は相当する部分には同一符号を付す。また、重複する説明は省略する。
【００３４】
（実施の形態１）
図１は、実施の形態１におけるベースバンド信号を処理する無線制御装置（ＲＥＣ）及び無線制御装置と通信を行う無線装置（ＲＥ）を備えた無線基地局のシステムを示すブロック図である。
【００３５】
図１において、無線制御装置１０１及び無線装置２０１は、ＣＰＲＩ規格に準拠した通信プログラムによって接続（通信路が確立）される。無線制御装置１０１のポート（図では○マークで表示）は、マスターポートであり、無線装置２０１のポート（図では◇マークで表示）は、スレーブポートである。すなわち、無線制御装置１０１は、マスターポートを介して無線装置２０１のスレーブポートにポイント・トゥー・ポイント（１対１）でＣＲＰＩ接続される。
【００３６】
通常、無線制御装置１０１とＣＰＲＩ接続される無線装置２０１は複数である。すなわち、無線制御装置１０１は、光ファイバケーブル（図示せず）によって任意の無線装置２０１との間で、ＣＰＲＩ接続を行って通信路を確立する。
【００３７】
任意の無線装置２０１との間でＣＰＲＩ接続による通信路が確立された後、無線制御装置１０１は、マスターポートから無線装置２０１のスレーブポートに下り信号を送信する。一方、無線装置２０１は、スレーブポートから無線制御装置２０１のマスターポートに上り信号を送信する。
【００３８】
図２は、実施の形態１のＣＰＲＩ接続におけるサブチャネルの構成を示す図である。サブチャネルには、ＣＰＲＩのフレーム内のＬ１（レイヤ１）同期確立のための基準信号やＣ＆Ｍプレーン等が格納される。本実施の形態においては、サブチャネルのＸｓ＝０、Ｎｓ＝１６の領域に、ＣＰＲＩラインビットレートの情報を格納している。
【００３９】
無線制御装置１０１は、この領域を用いて接続先である無線装置２０１にラインビットレートの情報を通知することができる。
【００４０】
同様に、無線装置２０１も、この領域を用いて接続先である無線制御装置１０１にラインビットレートの情報を通知することができる。
【００４１】
なお、ラインビットレートの情報を格納する領域としては、Ｘｓ＝０、Ｎｓ＝１６の領域に限定されない。ベンダが自由に使用できるベンダ固有の領域であれば、ラインビットレートの情報を格納することができる。
【００４２】
次に、無線制御装置１０１の内部構成について説明する。図１に示すように、無線制御装置１０１は、制御部１０２、通信部１０３、及び記憶部１０４を備えている。さらに、制御部１０２は、記憶制御部１０５及び通信制御部１０６を有する。また、記憶部１０４は、対応レート記憶部１０７及びスレーブポート情報記憶部１０８を有する。
【００４３】
対応レート記憶部１０７は、無線制御装置１０１自身がサポートする複数のラインビットレート（６１４４．０Ｍｂｐｓから６１４．４Ｍｂｐｓまでの６種類の通信速度）に関する情報を記憶する。
【００４４】
通信制御部１０６は、対応レート記憶部１０７に記憶された複数のラインビットレートのうち、１つのラインビットレートを通信部１０３に設定する。
【００４５】
通信部１０３は、通信制御部１０６によって設定された１つのラインビットレートに基づいて任意の無線装置２０１との間に通信路を確立する。さらに、通信部１０３は、その確立された通信路を介して接続した無線装置２０１の通信機能が有する少なくとも１つのラインビットレートの情報、すなわち図２に示したサブチャネルの領域の１６（ｈ）に格納されたラインビットレートの情報をスレーブポートから取得する。
【００４６】
スレーブポート情報記憶部１０８は、通信部１０３によって取得された無線装置２０１がサポートするラインビットレートの情報を記憶する。
【００４７】
記憶制御部１０５は、対応レート記憶部１０７及びスレーブポート情報記憶部１０８に対する情報の書き込み及び読み出しを制御する。記憶制御部１０５は、スレーブポート情報記憶部１０８に記憶されたラインビットレートの情報に関係する無線装置２０１との間に通信路を確立する場合に、対応レート記憶部１０７及びスレーブポート情報記憶部１０８にそれぞれ記憶されている情報の中から、共通する最大のラインビットレートの情報を読み出す。
【００４８】
通信制御部１０６は、記憶制御部１０５によって読み出された共通する最大のラインビットレートを通信部１０３に設定する。
【００４９】
次に、無線装置２０１の内部構成について説明する。図１に示すように、無線装置２０１は、制御部２０２、通信部２０３、及び記憶部２０４を有する。さらに、制御部２０２は、記憶制御部２０５、通信制御部２０６、及びＲＥ−ＩＤ記憶部２０８を有する。また、記憶部２０４は、対応レート記憶部２０７を有する。
【００５０】
対応レート記憶部２０７は、無線装置２０１自身がサポートする１つ又は複数のラインビットレートに関する情報を記憶する。
【００５１】
通信制御部２０６は、対応レート記憶部２０７に記憶された１つ又は複数のラインビットレートのうち、１つのラインビットレートを通信部２０３に設定する。
【００５２】
通信部２０３は、通信制御部２０６によって設定された１つのラインビットレートに基づいて、光ファイバケーブルで接続されている無線制御装置１０１との間に通信路を確立する。
【００５３】
記憶制御部２０５は、対応レート記憶部２０７及びＲＥ−ＩＤ記憶部２０８に対する情報の書き込み及び読み出しを制御する。
【００５４】
上記したように、通常、無線制御装置１０１に接続されている無線装置２０１は複数ある。このため各無線装置２０１は、ＲＥ−ＩＤ記憶部２０８の固有の識別情報であるＲＥ−ＩＤによって識別される。通信部２０３は、通信路が確立された無線制御装置１０１に対してＲＥ−ＩＤ記憶部２０８に記憶されているＲＥ−ＩＤを提示する。
【００５５】
次に、ＲＥ−ＩＤ記憶部２０８に記憶されているＲＥ−ＩＤと、対応レート記憶部２０７に記憶されているラインビットレートに関する情報との関係について説明する。図３は、ＲＥ−ＩＤとラインビットレートに関する情報との関係を例示的に示す図である。図４は、図３の各無線装置におけるラインビットレートの具体例を示す図である。
【００５６】
無線制御装置１０１及び無線装置２０１において、ラインビットレートに関する情報はｂ０乃至ｂ７の８ビットで表される。有効なラインビットレートのビットは「１」で表され、無効なラインビットレートは「０」で表される。なお、ｂ６及びｂ７の２ビットは予備であり、将来のラインビットレートの拡張に備えるようになっている。ｂ０、ｂ１、ｂ２、ｂ３、ｂ４、ｂ５の各ビットに対応するラインビットレート（Ｍｂｐｓ）は、６１４．４；１２２８．８；２４５７．６；３０７２．０；４９１５．２；６１４４．０となっている。
【００５７】
例えば、図３及び図４に示す例においては、ＲＥ−ＩＤが０００１、０００２、０００３の３つの無線装置２０１のラインビットレートは、それぞれｂ０及びｂ１が１、ｂ０乃至ｂ３が１、ｂ０乃至ｂ５が１になっている。すなわち、図４に示すように、各無線装置２０１に有効なラインビットレートが設定されている。
【００５８】
次に、無線制御装置１０１及び任意の無線装置２０１を備えた無線基地局におけるＣＰＲＩのプロトコルに準拠した通信路の確立について説明する。
【００５９】
図５は、無線基地局における通信路確立に移行する状態遷移図である。無線基地局は、様々な要因によって状態遷移するが、本実施の形態においては、基本的な状態遷移について説明する。
【００６０】
無線制御装置１０１と無線装置２０１との間で通信路が遮断して、無線制御装置１０１から無線装置２０１にリセット信号が送られると、無線基地局は、スタンバイ状態のフェーズＡになる。フェーズＡの間は、ＣＰＲＩでの送信も受信も存在しない。フェーズＡにおいて、例えば運用オペレータが、ラインビットレート及びＣ＆Ｍリンク特性等を含めて適切なスタートアップを指示する。
【００６１】
スタートアップの指示がされたときは、無線制御装置１０１及び無線装置２０１は、Ｌ１（物理レイヤ）同期及びラインビットレート交渉のフェーズＢに遷移する。
【００６２】
Ｌ１同期とラインビットレートの交渉とがうまく完了すると、次のスタートアップはプロトコルの設定のフェーズＣに遷移する。このフェーズＣにおいて、ＣＰＲＩの共通プロトコルバージョンが判断される。無線制御装置１０１及び無線装置２０１の一方又は両方が、ＣＰＲＩインタフェースの複数の改定版を利用できる場合、伝えられたＣ＆Ｍリンクを読み出そうとする前に、共通の改定版を見つけることになる。
【００６３】
Ｌ１の同期とプロトコルバージョンの一致に続いて、スタートアップは、共通のＣ＆Ｍリンクビットレートを判断するため、Ｃ＆Ｍプレーン（Ｌ２＋）の設定を行うフェーズＤに遷移する。フェーズＤにおける交渉は、高速Ｃ＆Ｍリンクと低速Ｃ＆Ｍリンクとについて並行して進行する。
【００６４】
フェーズＤにおいて、一致する高速及び低速のＣ＆Ｍリンク速度がない場合には、受動リンクのフェーズＧに遷移する。フェーズＧにおいては、新たな高速Ｃ＆Ｍリンクと低速Ｃ＆Ｍリンクが提案されて、フェーズＤに遷移する。
【００６５】
高速及び低速のＣ＆Ｍリンク速度が一致すると、スタートアップはベンダ固有交渉のフェーズＪに遷移する。このフェーズＪにおいて、無線制御装置１０１及び無線装置２０１の中のより高いレベルのアプリケーションがＣＰＲＩの利用について交渉する。
【００６６】
図６は、図５のフェーズＪにおける無線制御装置１０１の動作を示すフローチャートである。無線制御装置１０１は、接続先の無線装置２０１がサポートするＣＰＲＩラインビットレートの情報を取得する（ステップＳ１０１）。
【００６７】
次に、無線制御装置１０１は、取得したラインビットレートの中から、最大ラインビットレートの検出を行う（ステップＳ１０２）。すなわち、無線制御装置１０１は、図３に示したＲＥ−ＩＤ及びラインビットレートの情報において、「１」に設定されている最上位ビットを検出する。
【００６８】
次に、無線制御装置１０１は、接続先の無線装置２０１と自身との間でサポートする最大ラインビットレートで動作しているか確認を行う（ステップＳ１０３）。すなわち、現在動作中のラインビットレートが最大ラインビットレートであるか否かを判別する（ステップＳ１０４）。
【００６９】
現在動作中のラインビットレートが最大ラインビットレートである場合には（ステップＳ１０４；ＹＥＳ）、固有情報の交換によって、ベンダ固有要件に基づいたＣＰＲＩの好適構成がもたらされるので、無線制御装置２０１は、図５のフェーズＦへ遷移する。フェーズＦにおいてスタートアップは完了し、通常の動作が始まる。
【００７０】
一方、現在動作中のラインビットレートが最大ラインビットレートでない場合には（ステップＳ１０４；ＮＯ）、無線制御装置２０１は、通信路の確立を再構成するために、図５のフェーズＨに遷移する。
【００７１】
図７は、図５のフェーズＨにおける無線制御装置１０１の動作を示すフローチャートである。無線制御装置１０１は、接続先の無線装置２０１がサポートするラインビットレートの情報の有無を確認する（ステップＳ２０１）。すなわち、無線制御装置１０１は、接続先の無線装置２０１がサポートするラインビットレートの情報があるか否かを判別する（ステップＳ２０２）。
【００７２】
接続先の無線装置２０１がサポートするラインビットレートの情報がある場合には（ステップＳ２０２；ＹＥＳ）、無線制御装置１０１は、タイマのスタートを行う（ステップＳ２０３）。
【００７３】
次に、無線制御装置１０１は、接続先の無線装置２０１と無線制御装置１０１自身とでサポートする最大ラインビットレートを設定する（ステップＳ２０４）。
【００７４】
次に、無線制御装置１０１は、タイマが満了したか否かを判別する（ステップＳ２０５）。
【００７５】
タイマが満了していない場合には（ステップＳ２０５；ＮＯ）、無線制御装置１０１は、接続先の無線装置２０１との間で接続が確立したか否かを判別する（ステップＳ２０６）。
【００７６】
接続先の無線装置２０１との間で通信路が確立していない場合には（ステップＳ２０６；ＮＯ）、無線制御装置１０１は、ステップＳ２０５に移行して、タイマが満了したか否かを判別する。
【００７７】
ステップＳ２０５においてタイマが満了せず、かつ、ステップＳ２０６において接続先の無線装置２０１との間で通信路が確立していない限り、無線制御装置１０１は、ステップＳ２０５及びステップＳ２０６のループを繰り返す。
【００７８】
接続先の無線装置２０１との間で通信路が確立したときは（ステップＳ２０６；ＹＥＳ）、無線制御装置１０１は、タイマの停止を行う（ステップＳ２０７）。この後は、無線制御装置１０１は、図５のフェーズＣへ遷移する。この後は、フェーズＤ、フェーズＪ、フェーズＦへと遷移して、最大ラインビットレートで通信を実行する。
【００７９】
一方、接続先の無線装置２０１との間で通信路が確立していない場合に（ステップＳ２０６；ＮＯ）、タイマが満了したときは（ステップＳ２０５；ＹＥＳ）、無線制御装置１０１は、図５のフェーズＢへ遷移する。また、接続先の無線装置２０１がサポートするラインビットレートの情報がない場合には（ステップＳ２０２；ＮＯ）、無線制御装置１０１は、図５のフェーズＢへ遷移する。
【００８０】
無線制御装置１０１は、フェーズＢにおいては、図１０乃至図１１に示した一般的な通信制御方法によって、接続先の無線装置２０１との間で通信路を確立する。
【００８１】
以上のように、実施の形態１の無線基地局は、ベースバンド信号を処理する無線制御装置１０１及びその無線制御装置１０１と通信を行う少なくとも１つの無線装置２０１を備えている。無線制御装置１０１は、複数のラインビットレート（通信速度）に関する情報を記憶する対応レート記憶部１０７（第１の記憶部）と、対応レート記憶部１０７に記憶された複数のラインビットレートのうち、設定された１つのラインビットレートに基づいて任意の無線装置２０１との間に通信路を確立すると共に、その確立された通信路を介して任意の無線装置２０１の通信機能が有する少なくとも１つのラインビットレートの情報を取得する通信部１０３と、通信部１０３によって取得された任意の無線装置２０１が有するラインビットレートの情報を記憶するスレーブポート情報記憶部１０８（第２の記憶部）と、スレーブポート情報記憶部１０８に記憶されたラインビットレートの情報に係る無線装置２０１との間に通信路を確立する場合に、対応レート記憶部１０７及びスレーブポート情報記憶部１０８にそれぞれ記憶されている情報の中から共通する最大のラインビットレートの情報を読み出す記憶制御部１０５と、記憶制御部１０５によって読み出された共通する最大のラインビットレートを通信部１０３に設定する通信制御部１０６と、を備える。
【００８２】
したがって、データの送受信を行う無線制御装置１０１及び無線装置２０１間に共通する最大のラインビットレートを使用して、短時間で効率よく通信路を確立することができる。
【００８３】
この場合において、スレーブポート情報記憶部１０８は、通信部１０３が無線装置２０１との間に通信路を確立するごとに、その無線装置２０１との通信に関する履歴情報を更新して記憶し、記憶制御部１０５は、通信部１０３が任意の無線装置２０１との間に通信路を確立する場合に、スレーブポート情報記憶部１０８に記憶されているその任意の無線装置２０１の履歴情報及び対応レート記憶部１０７に記憶されている情報の中から共通する最大のラインビットレートの情報を読み出す構成にしてもよい。
【００８４】
この構成によれば、無線装置２０１がサポートする最大のラインビットレートが何らかの要因で機能しなかった場合でも、過去の履歴情報を検索して、無線装置２０１がサポートする最大のラインビットレートでの通信路の確立が可能になる。
【００８５】
実施の形態１において、図５乃至図７に示したように、無線制御装置１０１の通信制御部１０６は、無線装置２０１との間でＣＰＲＩ規格におけるインタフェース及びベンダ固有の交渉を行うフェーズＪの中で、記憶制御部１０５によって読み出された共通する最大のラインビットレートを通信部１０３に設定する。
【００８６】
したがって、無線基地局を構成する無線制御装置１０１及び無線装置２０１間で、ＣＰＲＩ規格に準拠した最大のラインビットレートを使用して、よりいっそう短時間で効率よく通信路を確立することができる。
【００８７】
（実施の形態２）
次に、本発明の実施の形態２の無線制御装置１０１及び任意の無線装置２０１を備えた無線基地局におけるＣＰＲＩのプロトコルに準拠した通信路の確立について説明する。
【００８８】
図８は、実施の形態２の無線基地局における通信路確立に移行する状態遷移図である。図８において、図５と共通する部分の説明は省略する。
【００８９】
図８に示す実施の形態２の状態遷移図においては、フェーズＣのプロトコルの設定とフェーズＤのＣ＆Ｍプレーンの設定との間に、Ｌ１の最適化を行うフェーズＩが追加されている。実施の形態２においては、図５に示した実施の形態１の状態遷移図におけるフェーズＪで行っていたラインビットレートの交渉をフェーズＩで行う。
【００９０】
すなわち、実施の形態２においては、無線制御装置１０１の通信制御部１０６は、ＣＰＲＩ規格におけるインタフェース及びベンダ固有の交渉を行う前に、記憶制御部１０５によって読み出された共通する最大のラインビットレートを通信部１０３に設定する。
【００９１】
したがって、無線基地局を構成する無線制御装置１０１及び無線装置２０１間で、長い時間を要するフェーズＤ及びフェーズＧの処理を行う前に、ＣＰＲＩ規格に準拠した最大のラインビットレートを設定するので、通信路を確立する時間をさらにいっそう短縮することができる。
【００９２】
（実施の形態３）
次に、本発明の実施の形態３の無線基地局について図９を参照して説明する。実施の形態１及び２においては、無線基地局を構成する１つの無線制御装置１０１及び１つの無線装置２０１との間において、ポイント・トゥー・ポイントの通信路を確立する場合について説明したが、無線基地局を構成する態様には様々なバリエーションがある。
【００９３】
図９は、実施の形態３における無線基地局の構成の様々なバリエーションを示す図である。図９において、無線制御装置（ＲＥＣ）１０１のマスターポート（○記号）に無線装置２０１（１）のスレーブポート（◇記号）が接続されたポイント・トゥー・ポイントの接続、すなわち、実施の形態１及び２に示した接続がある。さらに、無線装置２０１（１）にパーソナル・コンピュータ３０１が無線接続される。
【００９４】
また、無線制御装置１０１のマスターポートに無線装置２０１（２）のスレーブポートが接続され、さらに無線装置２０１（２）のマスターポートに無線装置２０１（３）のスレーブポートが接続されたチェイン接続がある。
【００９５】
また、無線制御装置１０１のマスターポートに無線装置２０１（４）のスレーブポートが接続され、無線装置２０１（４）の２つのマスターポートに無線装置２０１（５）及び無線装置２０１（６）の各スレーブポートが接続されたツリー接続がある。さらに、無線装置２０１（６）に携帯電話機４０１が無線接続される。
【００９６】
また、無線制御装置１０１のマスターポートに無線装置２０１（７）のスレーブポートが接続され、無線装置２０１（７）のマスターポートに無線装置２０１（８）のスレーブポートが接続され、無線装置２０１（８）のマスターポートに無線制御装置１０１のスレーブポートが接続されたリング接続がある。さらに、無線装置２０１（８）に携帯情報端末５０１が無線接続される。
【００９７】
図９に示すように、無線制御装置１０１は、無線装置２０１、パーソナル・コンピュータ３０１、携帯電話機４０１、携帯情報端末５０１等の他機器との間で通信路を確立する場合に、その他機器と共通する最大の通信速度を設定する。
【００９８】
なお、上記各実施の形態においては、無線基地局を構成する無線制御装置及び無線装置を例に採って本発明を説明したが、本発明は、無線制御装置及び無線装置を備えた無線基地局に限定されるものではない。マスターポートを有する情報処理装置と、スレーブポートを有する複数の他機器との間で、通信路を確立する様々な装置やシステムにも本発明を適用することができる。
【００９９】
上記の実施の形態の一部又は全部は、以下の付記のようにも記載され得るが、以下には限られない。
【０１００】
（付記１）
複数の通信速度に関する情報を記憶する第１の記憶部と、
前記第１の記憶部に記憶された前記複数の通信速度のうち、設定された１つの通信速度に基づいて任意の他機器との間に通信路を確立すると共に、当該確立された通信路を介して前記任意の他機器の通信機能が有する少なくとも１つの通信速度の情報を取得する通信部と、
前記通信部によって取得された前記任意の他機器が有する通信速度の情報を記憶する第２の記憶部と、
前記第２の記憶部に記憶された通信速度の情報に係る他機器との間に通信路を確立する場合に、前記第１の記憶部及び前記第２の記憶部にそれぞれ記憶されている情報の中から共通する最大の通信速度の情報を読み出す記憶制御部と、
前記記憶制御部によって読み出された前記共通する最大の通信速度を前記通信部に設定する通信制御部と、を備える、
ことを特徴とする情報処理装置。
【０１０１】
（付記２）
ベースバンド信号を処理する無線制御装置及び当該無線制御装置と通信を行う少なくとも１つの無線装置を備え、前記無線制御装置は、
複数の通信速度に関する情報を記憶する第１の記憶部と、
前記第１の記憶部に記憶された前記複数の通信速度のうち、設定された１つの通信速度に基づいて任意の無線装置との間に通信路を確立すると共に、当該確立された通信路を介して前記任意の無線装置の通信機能が有する少なくとも１つの通信速度の情報を取得する通信部と、
前記通信部によって取得された前記任意の無線装置が有する通信速度の情報を記憶する第２の記憶部と、
前記第２の記憶部に記憶された通信速度の情報に係る無線装置との間に通信路を確立する場合に、前記第１の記憶部及び前記第２の記憶部にそれぞれ記憶されている情報の中から共通する最大の通信速度の情報を読み出す記憶制御部と、
前記記憶制御部によって読み出された前記共通する最大の通信速度を前記通信部に設定する通信制御部と、を備える、
ことを特徴とする無線基地局。
【０１０２】
（付記３）
前記第２の記憶部は、前記通信部が無線装置との間に通信路を確立するごとに、当該無線装置との通信に関する履歴情報を更新して記憶し、
前記記憶制御部は、前記通信部が任意の無線装置との間に通信路を確立する場合に、前記第２の記憶部に記憶されている当該任意の無線装置の履歴情報及び前記第１の記憶部に記憶されている情報の中から共通する最大の通信速度の情報を読み出す、
ことを特徴とする付記２に記載の無線基地局。
【０１０３】
（付記４）
前記通信制御部は、無線装置との間でＣＰＲＩ規格におけるインタフェース及びベンダ固有の交渉を行う中で、前記記憶制御部によって読み出された前記共通する最大の通信速度を前記通信部に設定する、
ことを特徴とする付記２又は３に記載の無線基地局。
【０１０４】
（付記５）
前記通信制御部は、無線装置との間でＣＰＲＩ規格におけるインタフェース及びベンダ固有の交渉を行う前に、前記記憶制御部によって読み出された前記共通する最大の通信速度を前記通信部に設定する、
ことを特徴とする付記２又は３に記載の無線基地局。
【０１０５】
（付記６）
少なくとも１つの無線装置と通信を行うと共に、ベースバンド信号を処理する無線制御装置において、
第１の記憶部が、複数の通信速度に関する情報を記憶し、
通信部が、前記第１の記憶部に記憶された前記複数の通信速度のうち、設定された１つの通信速度に基づいて任意の無線装置との間に通信路を確立すると共に、当該確立された通信路を介して前記任意の無線装置の通信機能が有する少なくとも１つの通信速度の情報を取得し、
第２の記憶部が、前記通信部によって取得された前記任意の無線装置が有する通信速度の情報を記憶し、
前記通信部により前記第２の記憶部に記憶された通信速度の情報に係る無線装置との間に通信路を確立する場合に、記憶制御部が、前記第１の記憶部及び前記第２の記憶部にそれぞれ記憶されている情報の中から共通する最大の通信速度の情報を読み出し、
通信制御部が、前記記憶制御部によって読み出された前記共通する最大の通信速度を前記通信部に設定する、
ことを特徴とする通信制御方法。
【０１０６】
（付記７）
前記第２の記憶部が、前記通信部が任意の無線装置との間に通信路を確立するごとに、当該任意の無線装置との通信に関する履歴情報を更新して記憶し、
前記通信部により任意の無線装置との間に通信路を確立する場合に、前記記憶制御部が、前記第２の記憶部に記憶されている当該任意の無線装置の履歴情報及び前記第１の記憶部に記憶されている情報の中から共通する最大の通信速度の情報を読み出す、
ことを特徴とする付記６に記載の通信制御方法。
【０１０７】
（付記８）
前記通信制御部が、無線装置との間でＣＰＲＩ規格におけるインタフェース及びベンダ固有の交渉を行う中で、前記記憶制御部によって読み出された前記共通する最大の通信速度を前記通信部に設定する、
ことを特徴とする付記６又は７に記載の通信制御方法。
【０１０８】
（付記９）
前記通信制御部が、無線装置との間でＣＰＲＩ規格におけるインタフェース及びベンダ固有の交渉を行う前に、前記記憶制御部によって読み出された前記共通する最大の通信速度を前記通信部に設定する、
ことを特徴とする付記６又は７に記載の通信制御方法。
【０１０９】
（付記１０）
ベースバンド信号を処理する無線制御装置及び当該無線制御装置と通信を行う少なくとも１つの無線装置において、前記無線制御装置が有するコンピュータに、
複数の通信速度に関する情報を第１の記憶部に記憶する第１のステップと、
前記第１の記憶部に記憶された前記複数の通信速度のうち、設定された１つの通信速度に基づいて任意の無線装置との間に通信路を確立すると共に、当該確立された通信路を介して前記任意の無線装置の通信機能が有する少なくとも１つの通信速度の情報を取得する第２のステップと、
前記第２のステップによって取得された前記任意の無線装置が有する通信速度の情報を第２の記憶部に記憶する第３のステップと、
前記第２の記憶部に記憶された通信速度の情報に係る無線装置との間に通信路を確立する場合に、前記第１の記憶部及び前記第２の記憶部にそれぞれ記憶されている情報の中から共通する最大の通信速度の情報を読み出す第４のステップと、
前記第４のステップによって読み出された前記共通する最大の通信速度を前記第２のステップに対して設定する第５のステップと、を実行させる、
ことを特徴とするプログラム。
【産業上の利用可能性】
【０１１０】
本発明の情報処理装置は、光ファイバケーブル等によって接続された他機器との間で通信速度を整合するシステムに適している。また、本発明の無線基地局、通信制御方法及びプログラムは、無線基地局を構成する無線制御装置と無線装置とを分離して、光ファイバケーブル等によって両者の通信速度を整合するシステムに適している。
【符号の説明】
【０１１１】
１０１  無線制御装置
１０２、２０２  制御部
１０３、２０３  通信部
１０４、２０４  記憶部
１０５、２０５  記憶制御部
１０６、２０６  通信制御部
１０７、２０７  対応レート記憶部
１０８  スレーブポート情報記憶部
２０１  無線装置
２０８  ＲＥ−ＩＤ記憶部
【図１】
2012209859.tif 000003
【図２】
2012209859.tif 000004
【図３】
2012209859.tif 000005
【図４】
2012209859.tif 000006
【図５】
2012209859.tif 000007
【図６】
2012209859.tif 000008
【図７】
2012209859.tif 000009
【図８】
2012209859.tif 000010
【図９】
2012209859.tif 000011
【図１０】
2012209859.tif 000012
【図１１】
2012209859.tif 000013
【図１２】
2012209859.tif 000014